(57)【要約】【課題】転倒防止縁を備え、標識部の側面に垂直な方向から風に煽られるなどの横荷重を受けた場合であっても転倒に至る虞が小さい標示部材を提供する。【解決手段】本発明にかかる標示部材１は、三角錐又は三角錐台とされた標識部２と、  標識部２の底部２０の外側に延設され、地面に設置される鍔部３と、を備えた標示部材１において、鍔部３が、底部２０の三角形の角２０１の外側に、標示部材１の転倒を防止する転倒防止縁を備えたことを特徴とする。【選択図】図１
2014025211.tif 000002
【特許請求の範囲】
【請求項１】
三角錐又は三角錐台とされた標識部と、
前記標識部の底部の外側に延設され、地面に設置される鍔部と、
を備えた標示部材において、
前記鍔部が、前記底部の三角形の角の外側に、前記標示部材の転倒を防止する転倒防止縁を備えた
ことを特徴とする標示部材。
【請求項２】
請求項１に記載の標示部材において、
前記転倒防止縁は、三角形の前記角に対向する三角形の辺に沿う方向に延びる直線縁である
ことを特徴とする標示部材。
【請求項３】
請求項１又は２に記載の標示部材において、
前記鍔部が、前記底部の三角形の辺の外側に、隣り合う前記転倒防止縁の端部同士を結んだ直線より前記鍔部の延設された方向に膨らんだ膨出部を有する
ことを特徴とする標示部材。
【発明の詳細な説明】
【技術分野】
【０００１】
本発明は、道路等に設置される標示部材に関する。
【背景技術】
【０００２】
交通事故の検証現場や道路工事、電線工事の工事現場などに並べ置かれる標示部材として、例えば図９に示すような、三角錐台の標識部２０００と、標識部２０００の底部２０１０の外側に延設され、地面に設置される鍔部３０００と、を備えた標示部材１０００があった。このような標示部材は、標識部２０００が円錐や円錐台ではなく三角錐台であるため、標識部２０００の側面２０２０が視認しやすい平面となっている。
【０００３】
この標示部材１０００は、鍔部３０００の、底部２０１０の三角形の辺の外側に、辺から一定の長さ離れた直線縁３０１０が形成され、底部２０１０の三角形の角の外側に外側に膨らんだ円弧状の曲線縁３０２０が形成されていた（特許文献１参照）。
【先行技術文献】
【特許文献】
【０００４】
【特許文献１】実開平７−２０３０９号公報
【発明の概要】
【発明が解決しようとする課題】
【０００５】
この標示部材１０００は、路上に設置される際、風荷重を受ける場合がある。特に、側面２０２０に垂直な方向から風荷重を受けた場合には、側面２０２０が真正面から風力を受けるため、風荷重を逃がすことができず、側面２０２０の反対側における底部２０１０の曲線縁３０２０を支点として、標示部材１０００の側面２０２０の側が浮き上がることがあった。すると、曲線縁３０２０が外側に膨らんでおり、標示部材１０００は地面に曲線縁３０２０において一点接触で支えられることになるため、風向きや風力が常に変化する自然の風に対して標示部材１０００は姿勢のバランスを崩し易く、転倒に至る虞が生じていた。
【０００６】
また、側面２０２０に風以外の荷重（例えば、人の足が当たることによる荷重）が真正面から加わった場合も、風荷重を受けたときと同様に、一点接触で地面に支えられることになるため、やはり転倒に至る虞が生じていた。
【０００７】
本発明は、上記の課題に鑑みて創案されたものであり、三角錐又は三角錐台の標識部を備え、標識部の側面に垂直な方向から、風に煽られるなどの横荷重を受けても、転倒に至る虞の小さい標示部材を提供することを目的とする。
【課題を解決するための手段】
【０００８】
上記課題を解決するため、本発明の標示部材では、三角錐又は三角錐台とされた標識部と、前記標識部の底部の外側に延設され、地面に設置される鍔部と、を備えた構成を前提としている。また、本発明の標示部材では、前記鍔部が、前記底部の三角形の角の外側に、前記標示部材の転倒を防止する転倒防止縁を備えたことを特徴としている。なお、本発明において、「三角錐」及び「三角錐台」とは、それぞれ幾何学上の三角錐及び三角錐台のみを指すものではなく、例えば、標示部を構成する３つの側面及び／又は３つの斜辺がそれぞれわずかに外側へ膨出されているなど、側面や斜辺が適宜変形された形状をも含むものである。
【０００９】
上記のように、本発明の標示部材によれば、鍔部が標識部の底部の外側に一定の長さ延設される場合と異なり、鍔部が底部の三角形の角の外側に標示部材の転倒を防止する転倒防止縁を備えるので、標識部の側面に垂直な方向から風に煽られても転倒に至る虞を小さくすることができる。
【００１０】
また、本発明の標示部材において、好ましくは、前記転倒防止縁は、三角形の前記角に対向する三角形の辺に沿う方向に延びる直線縁であることを特徴とする。なお、直線縁とは、平面視で直線をなす縁のことである。
【００１１】
このような構成にすれば、転倒防止縁が直線縁であるため、標示部材が標識部の側面に垂直な方向から、風に煽られるなどの横荷重を受けた際、直線縁で地面に線接触することができ、元の姿勢及び位置に戻り易くすることができる。また、転倒防止縁が直線状であるため、転倒防止縁の構成が簡素になり、標示部材の製造が簡略化され、製造コストを低減することができる。
【００１２】
また、本発明の標示部材において、好ましくは、前記鍔部が、前記底部の三角形の辺の外側に、隣り合う前記転倒防止縁の端部同士を結んだ直線より前記鍔部の延設された方向に膨らんだ膨出部を有することを特徴とする。
【００１３】
このような構成にすれば、底部の三角形の辺の外側に、隣り合う転倒防止縁の端部同士を結んだ直線より鍔部の延設された方向に膨らんだ膨出部を備えるため、鍔部が標識部の底部の外側に一定の距離延設される場合と比べて、標示部材は、底部の三角形の辺と鍔部の縁との間の距離が長くなる。そのため、標示部材が、底部の三角形の辺と標示部材の中心を挟んだ反対側である標識部の斜辺の方向から、風に煽られるなどの横荷重を受けた際、斜辺側が浮き上がる虞を小さくすることができ、転倒に至る虞を小さくすることができる。
【発明の効果】
【００１４】
本発明の標示部材は、転倒防止縁を備え、標識部の側面に垂直な方向から、風に煽られるなどの横荷重を受けた場合であっても転倒に至る虞が小さい。
【図面の簡単な説明】
【００１５】
【図１】本発明に係る標示部材の斜視図である。
【図２】本発明に係る標示部材の平面図である。
【図３】本発明に係る標示部材の正面図である。
【図４】本発明に係る標示部材の側面図である。
【図５】本発明に係る標示部材の底面図である。
【図６】図３におけるＡ−Ａ線に沿う断面図である。
【図７】本発明に係る標示部材の浮き上がった状態を示す、（ａ）は、側面図、（ｂ）は、底面図である。
【図８】本発明に係る標示部材の他の実施形態を示す斜視図である。
【図９】従来の標示部材の、（ａ）は、正面図であり、（ｂ）は、平面図である。
【発明を実施するための形態】
【００１６】
以下、本発明の一実施形態について、図１から図７までを参照して説明する。
【００１７】
図１は、本発明に係る標示部材の斜視図である。図２は、本発明に係る標示部材の平面図である。図３は、本発明に係る標示部材の正面図である。図４は、本発明に係る標示部材の側面図である。図５は、本発明に係る標示部材の底面図である。図６は、図３におけるＡ−Ａ線に沿う断面図である。図７は、本発明に係る標示部材の浮き上がった状態を示す、（ａ）は、側面図、（ｂ）は、底面図である。
【００１８】
なお、以下の説明において、特定の側面、角、辺について説明するとき以外は、それぞれの符号におけるアルファベットの付記を省略する。また、後記の直線縁及び膨出部についても同様である。
【００１９】
―構成―
本発明に係る標示部材１は、図１から図６までに示すように、標識部２と、標識部２の底部２０の外側に延設され、地面に設置される鍔部３と、を備えている。
【００２０】
標識部２は、図１及び図２に示すように、蓋部２１と三つの側面２２とを備え、台形である側面２２の脚同士を繋ぎ合わせ、上辺に蓋部２１を形成した、図６に示すような中空の三角錐台に形成されている。繋ぎ合わせた側面２２の脚同士は三角錐台の斜辺２３を形成している。側面２２は、標識となる文字、図形及び色彩を容易に付加することができるようになっており、図２、図４、図６及び図７に示すように、横幅方向の中央部が外側にわずかに膨らんだ形状とされている。このように、本発明においては、標識部２の形状は、側面２２の横幅方向の中央部が外側にわずかに膨らんだ形状など、幾何学上の三角錐や三角錐台の形状に限定されず、側面２２や斜辺２３を適宜変形させた形状をも含むものとする。
【００２１】
蓋部２１は、図１に示すように、側面が外側に膨らんだ突出部２１１を備えた三角錐台状の形状とされ、高さ方向に厚みを有している。蓋部２１の上面には、標示部材１に取り付けられる表示灯やアダプタなどを嵌入するための嵌入孔２１２が形成されている。このように、蓋部２１は突出部２１１を備えているため、複数個の標示部材１を段積みしたときに、下段に位置する標示部材１の側面２２の外面と上段に位置する表示部材１の側面２２の内面とが擦れ合うことがない。したがって、側面２２の外面に付された文字、図形及び色彩等の標識を保護することができる。また、この突出部２１１に手を掛けて持ち上げることができ、持ち運ぶ際に利用することもできる。
【００２２】
このように形成された標識部２の底部２０は、図１に示すように、角２０１ａ，２０１ｂ，２０１ｃと、辺２０２ａ，２０２ｂ，２０２ｃとを備えた内部が空の三角形に形成されている。したがって、この標示部材１は、従来のものと同様、段積みすることができる。
【００２３】
鍔部３は、底部２０の三角形の角２０１の外側に、標示部材１の転倒を防止する転倒防止縁としての直線縁３１を備えている。直線縁３１は、図２に示すように、平面視で直線を形成し、三角形の角２０１に、標示部材１の中心を挟んで対向する三角形の辺２０２に沿う方向に延びている。直線縁３１の長さは、標示部材１の高さや重量等を勘案して、転倒防止機能を発揮し得る長さに設定されている。
【００２４】
鍔部３は、図２に示すように、底部２０の三角形の辺２０２の外側に、隣り合う直線縁３１の端部３１１同士を結んだ直線Ｌより鍔部３の延設された方向に膨んだ膨出部３２を備える。膨出部３２の縁３２１は、中央部が辺２０２から最も離れる緩やかな円弧状に形成されている。辺２０２と縁３２１との距離は、標示部材１の高さや重量等を勘案して、標示部材１が転倒しにくい長さに設定されている。
【００２５】
鍔部３の裏面３３には、図５に示すように、その外側方向に延びる複数本のリブ３３１が形成されるとともに、縁３２１に沿って３つの円筒状の脚片３３２が等間隔で突設されている。リブ３３１の下端は、直線縁３１及び縁３２１の下端と揃えられている。また、裏面３３の、直線縁３１に対応する部分には、直線縁３１と平行に延びる長円状のリブからなる脚片３３３が突設されている。脚片３３２、３３３は、直線縁３１、縁３２１、リブ３３１の下端よりごくわずかに下方（設置された場合の地面側）に突出している。このように、鍔部３の裏面３３にはリブ３３１が設けられているため、鍔部３が撓む虞が低減され、また、直線縁３１の近傍に脚片３３３を備えるため、直線縁３１部分の強度が高められる。
【００２６】
このようになる標示部材１は、例えば、射出成型法により、ポリ塩化ビニル（ＰＶＣ）などの合成樹脂で一体成型される。このため、安価に大量に生産することができる。
【００２７】
この標示部材１は、工事現場などの路上に設置されて使用される。
【００２８】
―作用―
以下、上記の標示部材１の作用について、風を標識部２の側面２２ｂに受けた場合を例にとって説明する。
【００２９】
標示部材１は、図７に示すように、標識部２の側面２２ｂに垂直な方向から風に煽られ、風荷重を受けて浮き上がった場合、側面２２ｂと標示部材１の中心を挟んで反対側の直線縁３１ｂが地面と線接触することとなる。このように、風に煽られて浮き上がったとしても、従来の点支持に依らない直線縁３１ｂによる線接触で風荷重に抗することができるため、姿勢のバランスが大きく崩れることはなく、風が弱まると自ずと元の姿勢に復帰する。したがって、従来の一点接触で地面に支えられる場合に比べて転倒しにくいものとなっている。
【００３０】
なお、標示部材１を土の上に設置した場合は、脚片３３２、３３３が地面にめり込んで鍔部３の直線縁３１が地面に直接接することとなり、例えばアスファルト上に設置した場合は、脚片３３３の外側の縁も、直線縁３１と同様に標示部材１の転倒を防止する転倒防止縁として機能する。そして、浮き上がりの程度が大きくなれば、脚片３３３の外側の縁と直線縁３１とが協働して転倒防止縁として機能する。
【００３１】
標示部材１は、図２に示すように、隣り合う直線縁３１の端部３１１同士を結んだ直線Ｌより鍔部３の延設された方向に膨らんだ膨出部３２を備えるため、辺から一定の距離離れた縁が形成されている場合（平面視で直線Ｌ上に縁が形成されている場合）に比べて、標示部材１は、辺２０２と縁３２１との間の距離が長くなる。そのため、標識部２の斜辺２３方向から横風など横方向からの荷重が加わった際に、斜辺２３側が浮き上がる虞をさらに小さくすることができ、延いては転倒する虞を小さくすることができる。
【００３２】
なお、標識部２の形状は、三角錐台に限られず、三角錐であってもよい。この場合であっても、本発明の特徴部である鍔部３の形状は影響を受けないため、標示部材１は、標識部２の側面２２に垂直な方向から、風に煽られるなどの横荷重を受けた場合であっても転倒に至る虞が小さい。
【００３３】
なお、転倒防止縁は、上記の直線縁３１に限られず、鍔部３の内側方向に緩やかに湾曲した縁であってもよい。この場合であっても、標示部材１は、側面２２の側が浮き上がった際、転倒防止縁の両端で地面に支えられるため、一点接触で地面に支えられる場合に比べて、姿勢のバランスを崩しにくく、転倒に至る虞が小さい。なお、この場合、転倒防止縁が内側に湾曲しているため、使用される材料が少なくなり、材料に掛かるコストを低減することができる。また、転倒防止縁は、これらの構成に限られず、縁の延びる方向に同時に二以上の点で地面と接触できるものであればよい。すなわち、線接触する仮想線上に地面と接触可能な複数の点を備えていればよい。この場合、標示部材１は、側面２２の側が浮き上がった際、転倒防止縁の複数の点で地面に支えられるため、一点接触で地面に支えられる場合に比べて、姿勢のバランスを崩しにくく、転倒に至る虞が小さい。
【００３４】
―変形例―
標示部材１は、さらに転倒に至る虞を小さくするため、図８に示すように、おもり４を取り付けて使用してもよい。
【００３５】
おもり４は、平面視で鍔部３とほぼ同じ形状及び大きさとされる板状に形成されており、中央に底部２０よりわずかに寸法の大きな三角形を底面とする柱状の貫通孔４１が形成されている。貫通孔４１に標識部２を通して、おもり４を標示部材１に取り付ける。おもり４は、貫通孔４１に標識部２を通して使用するため、標示部材１が直立していれば、標示部材１から抜け落ちる虞がない。おもり４の材質は、標示部材１と同一の合成樹脂であってもよいし、比重の異なる材料、特に、より比重の大きな材料であってもよい。より比重の大きな材料である場合は、標示部材１と同一の合成樹脂で作成した場合に比べて、おもり４の厚さをより薄くすることができ、材料を節約することができる。
【００３６】
なお、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００３７】
１      標示部材
２      標識部
２０    底部
２０１  角
２０２  辺
３      鍔部
３１    直線縁（転倒防止縁）
３１１  端部
３２    膨出部
【図１】
2014025211.tif 000003
【図２】
2014025211.tif 000004
【図３】
2014025211.tif 000005
【図４】
2014025211.tif 000006
【図５】
2014025211.tif 000007
【図６】
2014025211.tif 000008
【図７】
2014025211.tif 000009
【図８】
2014025211.tif 000010
【図９】
2014025211.tif 000011